(57)【要約】【課題】毛髪処理の効率を低下することなく、十分な大きさの自発的巻き上がり力、及び繰り返し使用した場合でも充分な巻き上がり力が得られる毛髪保持具を提供すること。【解決手段】一端の開口部２１から他端の開口部２２に向けて毛髪束を挿通可能にシート２３Ａ、２３Ｂにより構成された扁平形状の筒状体２からなり、該筒状体２は、所定形状に巻き上げた状態が保持されるようにくせ付けをされている毛髪保持具であって、前記筒状体２に、室温以上のガラス転移点を有する素材からなる帯状の補強部材Ｑが該筒状体２の長手方向に沿って設けられており、前記筒状体２の巻き上げ力が０．５Ｎ以上である。【選択図】図１
2005246040.tif 000002
【特許請求の範囲】
【請求項１】
一端の開口部から他端の開口部に向けて毛髪束を挿通可能にシートにより構成された扁平形状の筒状体からなり、該筒状体は、所定形状に巻き上げた状態が保持されるようにくせ付けをされている毛髪保持具であって、
前記筒状体に、室温以上のガラス転移点を有する素材からなる帯状の補強部材が該筒状体の長手方向に沿って設けられており、
前記筒状体の巻き上げ力が０．５Ｎ以上である毛髪保持具。
【請求項２】
前記筒状体の一方の面を形成するシート及び／又は他方の面を形成するシートは、室温以上のガラス転移点を有する素材からなる請求項１記載の毛髪保持具。
【請求項３】
前記シートを形成する前記素材は、その非晶性部分の割合が５０％以上である請求項２記載の毛髪保持具。
【請求項４】
前記補強部材は、前記筒状体の長手方向に沿う両側端部それぞれに、該側端部の略全長に亘って設けられている請求項１〜３の何れかに記載の毛髪保持具。
【請求項５】
一端の開口部から他端の開口部に向けて毛髪束を挿通可能にシートにより構成された扁平形状の筒状体からなり、該筒状体は、所定形状に巻き上げた状態が保持されるようにくせ付けをされている毛髪保持具であって、
前記筒状体の一方の面を形成するシート及び／又は他方の面を形成するシートは、室温以上のガラス転移点を有する素材からなり、
前記筒状体の巻き上げ力が０．５Ｎ以上である毛髪保持具。
【請求項６】
前記筒状体に、室温以上のガラス転移点を有し且つ非晶性部分の割合が５０％以上である素材からなる帯状の補強部材が該筒状体の長手方向に沿って設けられている請求項５記載の毛髪保持具。
【請求項７】
前記筒状体を形成するシートの厚さが５０〜１０００μｍである請求項５又は６に記載の毛髪保持具。
【発明の詳細な説明】
【技術分野】
【０００１】
本発明は、パーマ等により毛髪にカールを付与する場合に、毛髪束を所定の形状に巻回するときの補助具として用いられる毛髪保持具に関する。
【背景技術】
【０００２】
下記特許文献１には、本出願人による「一端の開口部から他端の開口部に向けて毛髪束を挿通可能にシートにより構成された扁平形状の筒状体からなり、該筒状体は、所定形状に巻き上げた状態が保持されるようにくせ付けをされている毛髪保持具」が記載されている。この毛髪保持具によれば、引き伸ばした状態の筒状体の内部に毛髪束を挿入し、その後筒状体への引き伸ばし力を解除することにより、筒状体が自発的に巻き上がり（以下、このようなくせ付けによる自発的な巻き上がり力を「自発的巻き上がり力」という）、毛髪束を筒状体ごと巻き上げることができ、簡便な操作で毛髪にカールを付与することができる。
【０００３】
自発的巻き上がり力の大きい方が毛髪の挿入量が増えても綺麗に巻き上げることができ、毛髪挿入後、毛髪がずれ難いため、自発的巻き上がり力は大きい方が好ましい。より大きな自発的巻き上がり力を得るには、筒状体を形成するシートの厚さを厚くすることが効果的であるが、シートの厚さを厚くすると、筒状体において毛髪処理剤の浸透性が低下すると共に、毛髪処理剤の保持性が大きくなったり、巻き芯側と外側との径差が大きくなる。その結果、毛髪処理の効率が低下する。
【０００４】
【特許文献１】特開２００３−９３１３３号公報
【発明の開示】
【発明が解決しようとする課題】
【０００５】
しかし、前記特許文献１には、十分な大きさの自発的巻き上がり力、及び繰り返し使用した場合でも充分な巻き上がり力を得る工夫について、特に、毛髪処理の効率を低下することなく、十分な大きさの自発的巻き上がり力を得る工夫については、何等開示されていない。
【０００６】
従って、本発明の目的は、毛髪処理の効率を低下することなく、十分な大きさの自発的巻き上がり力、及び繰り返し使用した場合でも充分な巻き上がり力が得られる毛髪保持具を提供することにある。
【課題を解決するための手段】
【０００７】
本発明は、一端の開口部から他端の開口部に向けて毛髪束を挿通可能にシートにより構成された扁平形状の筒状体からなり、該筒状体は、所定形状に巻き上げた状態が保持されるようにくせ付けをされている毛髪保持具であって、前記筒状体に、室温以上のガラス転移点を有する素材からなる帯状の補強部材が該筒状体の長手方向に沿って設けられており、前記筒状体の巻き上げ力が０．５Ｎ以上である毛髪保持具を提供することにより、上記目的を達成したものである。
【０００８】
また、本発明は、一端の開口部から他端の開口部に向けて毛髪束を挿通可能にシートにより構成された扁平形状の筒状体からなり、該筒状体は、所定形状に巻き上げた状態が保持されるようにくせ付けをされている毛髪保持具であって、前記筒状体の一方の面を形成するシート及び／又は他方の面を形成するシートは、室温以上のガラス転移点を有する素材からなり、前記筒状体の巻き上げ力が０．５Ｎ以上である毛髪保持具を提供するもので
ある。
【発明の効果】
【０００９】
本発明の毛髪保持具によれば、毛髪処理の効率を低下することなく、十分な大きさの自発的巻き上がり力、及び繰り返し使用した場合でも充分な巻き上がり力が得られる。そのため、毛髪の挿入量が増えても毛髪を綺麗に巻き上げることができ、毛髪挿入後、毛髪がずれ難く、毛髪の取扱いが容易である。
【発明を実施するための最良の形態】
【００１０】
以下、本発明の毛髪保持具を、その好ましい一実施形態について、図１を参照して説明する。
本実施形態の毛髪保持具１は、図１に示すように、一端の開口部２１から他端の開口部２２に向けて毛髪束Ｈ（図２参照）を挿通可能にシート２３Ａ、２３Ｂにより構成された扁平形状の筒状体２からなり、該筒状体２は、所定形状に巻き上げた状態が保持されるようにくせ付けをされている毛髪保持具であって、前記筒状体２に、室温以上のガラス転移点を有する素材からなる帯状の補強部材Ｑが該筒状体２の長手方向に沿って設けられており、前記筒状体２の巻き上げ力が０．５Ｎ以上である。
【００１１】
本実施形態の毛髪保持具１について以下に詳述する。
筒状体２は、図１に示すように、２枚の矩形状のシート２３Ａ、２３Ｂを、その長手方向に沿う側端部２４、２４同士を接合させて形成されている。筒状体２の大きさは、長さ５０〜３５０ｍｍ、長径２０〜１００ｍｍ、短径０〜３０ｍｍであることが好ましく、毛髪の長さやくせ付けしたい場所、挿入する毛髪束の量に応じて適宜選択できる。
【００１２】
筒状体２は、一方の面を形成するシート（以下「一面シート」ともいう）２３Ａを外側にしてロール状に巻き上げた状態が保持されるように、所定の手段によってくせ付けをされている。そのため、筒状体２は、その長手方向に引き伸ばした状態にして、その状態から解放すると、図２に示すように、ロール状に巻き上げられた状態へと自発的に巻き上げられるようになっている。
筒状体２にくせ付けをするためには、筒状体２をロール状に巻き上げ、所定の手段によってその巻き上げ形態を保持し、その状態下に筒状体２を所定温度に加熱すればよい。
【００１３】
筒状体２の一端の開口部２１の端部には、該端部から筒状体２の長手方向に延出した延設部４が設けられている。延設部４は、筒状体２の他方の面を形成するシート（以下「他面シート」ともいう）２３Ｂと一体的に形成されている。
【００１４】
筒状体２を構成する一面シート２３Ａ，他面シート２３Ｂは、室温以上のガラス転移点を有する素材からなる。このような素材としては、例えば、ポリエステル系不織布、ポリスチレン系不織布、アクリル系不織布等が挙げられる。本実施形態においては、ポリエステル系不織布を用いている。
一面シート２３Ａ、他面シート２３Ｂの厚さは、筒状体における毛髪処理剤の浸透性が高く、毛髪処理剤の保持性が低い点で、好ましくは５０〜１０００μｍ、更に好ましくは５０〜６００μｍである。
本発明における「室温」とは、２５℃である。
【００１５】
また、一面シート２３Ａ及び他面シート２３Ｂを形成する前記素材の非晶性部分の割合は、好ましくは５０％以上であり、更に好ましくは７０％以上である。前述したように、筒状体２をロール状に巻き上げた状態下に所定温度に加熱することにより筒状体２にくせ付けを発現させているが、一面シート２３Ａ及び他面シート２３Ｂを形成する前記素材の非晶性部分の割合が５０％以上であると、筒状体２にくせ付けが発現する温度が低くなり、筒状体２へのくせ付けが一層容易となる。
本発明における「非晶性部分」とは、素材における結晶性がほとんど認められない固体の状態の部分をいい、結晶性部分以外の部分である。
【００１６】
本発明における「非晶性部分」の割合（％）は、下記の式（１）により求められる結晶化度を用いて算出される値である。式中、Ｘｃ：結晶化度、ρｃ：結晶性部分の密度、ρａ：非晶性部分の密度、ρ：試料（測定対象物）の密度であり、物質によってρｃとρａは既知であり、ρは体積と質量から別途求めることができる。そして、Ｘｃは１〜０間の値であり、Ｘｃが１であることは試料の全てが結晶性部分であることを意味し、Ｘｃが０であることは試料の全てが非晶性部分であることを意味する。よって、本発明における非晶性部分の割合は、下記の式（１）によって求められた結晶性部分の値を１から差引いてそれを１００倍した値である。
（１／ρ）＝（Ｘｃ／ρｃ）＋（１−Ｘｃ）／ρａ          （１）
【００１７】
筒状体２の両側端部２４、２４における一面シート２３Ａ側には、それぞれ、室温以上のガラス転移点を有する素材からなる帯状の補強部材Ｑが筒状体２の長手方向に沿って設けられている。補強部材Ｑは、図１に示すように、側端部２４の略全長及び略全福に亘っている。
補強部材Ｑを構成する素材としては、例えば、ポリエステル系、ポリスチレン系、アク
リル系の不織布やフィルム等が挙げられる。
【００１８】
補強部材Ｑを構成する室温以上のガラス転移点を有する前記素材の非晶性部分の割合は、好ましくは５０％以上であり、更に好ましくは７０％以上である。補強部材Ｑにくせ付けをするためには、筒状体２をロール状に巻き上げ、所定の手段によってその巻き上げ形態を保持し、その状態下に補強部材Ｑを筒状体２と共に所定温度に加熱するところ、補強部材Ｑを構成する前記素材の非晶性部分の割合が５０％以上であると、補強部材Ｑにくせ付けが発現する温度が低くなり、補強部材Ｑへのくせ付けが一層容易となる。
【００１９】
本実施形態においては、筒状体２が前述した構成を有しているため、筒状体２の巻き上げ力は、０．５Ｎ以上、好ましくは０．８Ｎ以上となっている。
本発明における「筒状体の巻き上げ力」は、以下のようにして測定される巻き上げ力である。
図３に示すように、予め巻き上げ形状を記憶させた筒状体２をローラＲの外周にセットする。ローラＲは摩擦力を最小にすべく、ベアリング機構が設けられている方が好ましい。その後筒状体２の端部をクリップＣ等でチャックし、フォースゲージＧを使用して筒状体２を水平方向に引き抜いたときの最高値を「巻き上げ力」と定義する。
【００２０】
延設部４における他面シート２３Ｂ側には、図１（ｂ）に示すように、メカニカルファスナー５が設けられている。メカニカルファスナー５は、筒状体２の一面シート２３Ａの任意の位置に係合し得るようになっている。
【００２１】
次に、図１に示す実施形態の毛髪保持具の一使用態様について、図２を参照して説明する。
毛髪束Ｈの量や得ようとするカール形状に応じて、適当な長さ及び幅を有する筒状体２からなる毛髪保持具１を用いる。先ず、筒状体２を引き伸ばし、その状態で筒状体２の一端の開口部２１を楕円形状に開口して、該開口部２１から毛髪束Ｈを挿入する。
【００２２】
毛髪束Ｈを筒状体２に挿通させた後、筒状体２の引き伸ばし状態を解除すれば、図２（ａ）及び（ｂ）に示すように、筒状体２は一面シート２３Ａを外側にして他端の開口部２２の側から自発的に巻き上げられる。そして、図２（ｃ）に示すように、延設部４のメカニカルファスナー５を筒状体２の一面シート２３Ａに係合して毛髪束Ｈの巻回状態を保持する。
その後、筒状体２の外側からパーマ用の毛髪処理剤を毛髪束Ｈに付与する。毛髪処理剤は、一面シート２３Ａ、他面シート２３Ｂを介して毛髪束Ｈに付与される。所定時間後、筒状体２から毛髪束Ｈを挿脱し、洗髪等して、パーマ処理を完了する。
筒状体２の開口部２１から毛髪束Ｈを挿入させる際に、必要に応じ、開口部２１を真円状に開口した方が、毛髪束Ｈをスムーズに挿入させ易い。また、毛髪束Ｈの先端を筒状体２の他端の開口部２２からはみ出させてもよい。
【００２３】
本実施形態の毛髪保持具１によれば、室温以上のガラス転移点を有する素材からなる帯状の補強部材Ｑが筒状体２の長手方向に沿って設けられているため、筒状体２を形成するシート２３Ａ、２３Ｂに厚いシートを用いなくても、十分な大きさの自発的巻き上がり力が得られる。そのため、毛髪処理の効率を低下することなく、十分な大きさの自発的巻き上がり力が得られる。
また、筒状体２の一方の面を形成するシート２３Ａ及び他方の面を形成するシート２３Ｂも、室温以上のガラス転移点を有する素材からなるため、自発的巻き上がり力が一層大きくなっている。
【００２４】
更に、一方の面を形成するシート２３Ａ及び他方の面を形成するシート２３Ｂ並びに補強部材Ｑを構成する、室温以上のガラス転移点を有する各素材の非晶性部分の割合を、５０％以上とすることにより、毛髪保持具１のくせ付け形態の保形性が一層向上する。
【００２５】
次に、本発明の毛髪保持具の他の実施形態について説明する。これらの実施形態については、図１に示す実施形態と異なる点についてのみ説明し、特に説明しない点については、図１に示す実施形態に関する説明が適宜適用される。そして、他の実施形態の毛髪保持具においても、図１に示す実施形態の毛髪保持具と同様に、筒状体２を形成するシート２３Ａ、２３Ｂに厚いシートを用いなくても、十分な大きさの自発的巻き上がり力が得られる。
【００２６】
図４に示す実施形態の毛髪保持具１は、図１に示す実施形態の毛髪保持具１に比して、
補強部材Ｑが、筒状体２の一方の側端部２４のみに設けられている。その他の点については、図１に示す実施形態の毛髪保持具１と同じである。
【００２７】
図５に示す実施形態の毛髪保持具１は、図１に示す実施形態の毛髪保持具１に比して、補強部材Ｑが、筒状体２の両側端部２４それぞれにおける長手方向中間部から他端の開口部２２に亘る範囲のみに設けられている。その他の点については、図１に示す実施形態の毛髪保持具１と同じである。
【００２８】
図６に示す実施形態の毛髪保持具１は、図５に示す実施形態の毛髪保持具１に比して、補強部材Ｑが、筒状体２の一方の側端部２４のみに設けられている。その他の点については、図５に示す実施形態の毛髪保持具１と同じである。
【００２９】
図７に示す実施形態の毛髪保持具１は、図４に示す実施形態の毛髪保持具１に比して、補強部材Ｑが、筒状体２の側端部２４には設けられておらず、筒状体２の短手方向中央部のみに１本設けられている。その他の点については、図４に示す実施形態の毛髪保持具１と同じである。
【００３０】
図８に示す実施形態の毛髪保持具１は、図１に示す実施形態の毛髪保持具１に比して、補強部材Ｑが設けられていない。その他の点については、図１に示す実施形態の毛髪保持具１と同じである。即ち、図８に示す実施形態の毛髪保持具１は、補強部材を設けることなく、筒状体２の一面シート２３Ａ及び／又は他面シート２３Ｂを、室温以上のガラス転移点を有し、かつ一定の厚みを有する素材から構成することにより、筒状体２の巻き上げ力を所定の大きさ以上としている。
【００３１】
図９に示す実施形態の毛髪保持具１は、図１に示す実施形態の毛髪保持具１に比して、筒状体２の一面シート２３Ａ及び他面シート２３Ｂの何れもが、室温未満のガラス転移点を有する素材からなる。即ち、図９に示す実施形態の毛髪保持具１は、筒状体２の一面シート２３Ａ及び他面シート２３Ｂの何れも室温以上のガラス転移点を有する素材から構成することなく、筒状体２に補強部材Ｑを設けることにより、筒状体２の巻き上げ力を所定の大きさ以上としている。
【００３２】
本発明の毛髪保持具は、前述した実施形態に制限されることなく、本発明の趣旨を逸脱しない限り、例えば以下に示すように適宜変更が可能である。
筒状体は、その一端が開口し且つその他端に閉口可能な手段を設けてあるものでもよい。筒状体は、その形成方法について特に制限はなく、シートを縫合、融着又は接着して形成したものでも、押出成形等により当初から筒状に形成したものでもよい。
【００３３】
補強部材Ｑは、設けられている方が好ましいが、図８に示す実施形態のように必ずしも設けられていなくてもよい。
補強部材Ｑは、図１に示す実施形態のように筒状体２の両側端部２４，２４それぞれに且つ側端部２４の略全長に亘って設けられている方が好ましいが、図４及び図６に示す実施形態のように筒状体２の一方の側端部２４のみに設けられていてもよく、また図５及び図６に示す実施形態のように側端部２４の略全長に亘っていなくてもよい。例えば、筒状体２の一端の開口部２１と長手方向中央部との間のみに設けられていてもよい。
補強部材Ｑは、図１及び図４〜図６に示す実施形態のように、筒状体２の側端部２４に設けられている方が好ましいが、図７に示す実施形態のように側端部２４以外の部分に設けられていてもよい。
補強部材は、一面シートと他面シートとの間に挟持されていてもよく、筒状体を形成するシートと一体的に設けられていてもよい。
【００３４】
筒状体２においては、一方の面を形成するシート２３Ａ及び他方の面を形成するシート２３Ｂの両方が、室温以上のガラス転移点を有する素材から構成されている方が好ましいが、両シートのうちの一方のシートのみが室温以上のガラス転移点を有する素材から構成されていてもよく、図９に示す実施形態のように両シートが室温未満のガラス転移点を有する素材から構成されていてもよい。
【００３５】
一方の面を形成するシート２３Ａ、他方の面を形成するシート２３Ｂ又は補強部材Ｑが室温以上のガラス転移点を有する素材から構成されている場合には、全ての素材の非晶性部分の割合が５０％以上であることが好ましいが、一部の素材の非晶性部分の割合のみを５０％以上とすることもできる。
【００３６】
本発明の前記実施形態のそれぞれ異なる部分を、適宜変更したり組み合わせた形態とすることもできる。
尚、本発明の毛髪保持具における「筒状体」を構成するシートの形状及びその表面状態は、上述の形態の筒状体を形成可能なものであれば良く、「扁平形状」という場合、シート材の表面は、凹凸面であってもよい。
【００３７】
毛髪束の巻回の際には、従来と同様に、ロッドを併用してもよい。
また、本発明の毛髪保持具は、パーマ処理により毛髪にカールを付与する場合に限らず、毛髪束を巻回した後、ドライヤー等により熱処理したり、乾燥した毛髪を巻回状態で保持したり、濡れた状態の毛髪を巻回状態で保持し自然乾燥させたりして、毛髪にカールを付与する場合等にも適用することができる。また、毛髪の先端にカールを付与する場合以外にも、毛髪に波状にカールを付与する場合、毛髪に螺旋状にカールを付与する場合等にも適用が可能である。
毛髪に市販の整髪料を付与した後に、前述の方法によってくせ付けしても良い。
【図面の簡単な説明】
【００３８】
【図１】図１は、本発明の毛髪保持具の一実施形態を示す図で、（ａ）は正面斜視図、（ｂ）は背面斜視図である。
【図２】図２は、図１に示す毛髪保持具の一使用態様を示す図で、（ａ）、（ｂ）及び（ｃ）は、それぞれ毛髪束の巻回手順を順次示す斜視図である。
【図３】図３は、本発明における「筒状体の巻き上げ力」の測定方法を示す模式図である。
【図４】図４は、本発明の毛髪保持具の別の実施形態を示す正面斜視図である。
【図５】図５は、本発明の毛髪保持具の更に別の実施形態を示す正面斜視図である。
【図６】図６は、本発明の毛髪保持具の更に別の実施形態を示す正面斜視図である。
【図７】図７は、本発明の毛髪保持具の更に別の実施形態を示す正面斜視図である。
【図８】図８は、本発明の毛髪保持具の更に別の実施形態を示す正面斜視図である。
【図９】図９は、本発明の毛髪保持具の更に別の実施形態を示す正面斜視図である。
【符号の説明】
【００３９】
１  毛髪保持具
２  筒状体
２１、２２  開口部
２３Ａ，２３Ｂ  シート
２４  側端部
４  延設部
Ｈ  毛髪束
Ｑ  補強部材
【図１】
2005246040.tif 000003
【図２】
2005246040.tif 000004
【図３】
2005246040.tif 000005
【図４】
2005246040.tif 000006
【図５】
2005246040.tif 000007
【図６】
2005246040.tif 000008
【図７】
2005246040.tif 000009
【図８】
2005246040.tif 000010
【図９】
2005246040.tif 000011